(57)【特許請求の範囲】
【請求項１】
頭髪加熱器具の使用時に前記頭髪加熱器具の加熱部が身体の額または首に接触することを防止するために前記額または首に装着する頭髪加熱器具用保護具であって、
前記額または首を被覆するガード部と、前記ガード部の両側からそれぞれ延びる一対のアーム部とからなり、前記一対のアーム部を頭部または首の一部にそれぞれ係止させることにより、前記ガード部を額または首と対応する位置に保持し、
前記ガード部は、その後面から突出して前記額または首と部分的に当接する複数のパッドが設けられていることを特徴とする頭髪加熱器具用保護具。
【請求項２】
前記ガード部は、前記アーム部が設けられたベースと、前記ベースの前面に着脱自在に取り付けられたフレームとからなる請求項１に記載の頭髪加熱器具用保護具。
【請求項３】
前記フレームの後面に前記複数のパッドが設けられると共に、前記ベースに複数の孔が設けられ、前記フレームの前記複数のパッドが、前記ベースの後面から突出するように、前記ベースの複数の孔に嵌合されている請求項２に記載の頭髪加熱器具用保護具。
【請求項４】
前記一対のアーム部は、前記ガード部の両側に回動自在に取り付けられ、前記ガード部の前面側あるいは後面側のいずれかに格納可能とした請求項１〜３のいずれか一項に記載の頭髪加熱器具用保護具。                                                                             
【発明の詳細な説明】
【技術分野】
【０００１】
本発明は、例えばヘアアイロン等の頭髪加熱器具が身体の額または首に接触することを防止するために額または首に装着する頭髪加熱器具用保護具に関する。
【背景技術】
【０００２】
一般的に、頭髪を整えたり、頭髪にウェーブ等の変化をつけたりするためにヘアアイロンが用いられている。
【０００３】
ヘアアイロンには、頭髪にウェーブをつけるカールアイロンや、縮毛や癖毛を真っ直ぐに伸ばすストレートアイロン等があり、何れのヘアアイロンも、使用者が持つための把持部と、頭髪を挟んだり巻いたりするアイロン部とを備えている。
【０００４】
ヘアアイロンのアイロン部は、使用時にかなり高温になることがあり、このアイロン部が使用者の皮膚に接触すると火傷をしてしまうおそれがある。
【０００５】
このような火傷を防止するため、ヘアアイロンの使用時、ヘアアイロンが使用者の耳や首に接触しないようにする頭髪加熱器具用保護具が提案されている（例えば、特許文献１参照）。
【０００６】
特許文献１で開示された頭髪加熱器具用保護具は、首保護部と、その首保護部に一体に形成された左右一対の耳保護部とを備え、首保護部および耳保護部で首および耳を被覆するように構成したものである。
【０００７】
ヘアアイロンの使用者が保護具を装着することにより、ヘアアイロンのアイロン部が使用者の首や耳に接触することがなくなり、アイロン部の接触による首や耳の火傷を防止することができる。
【先行技術文献】
【特許文献】
【０００８】
【特許文献１】特開２０１３−１８０１０２号公報
【発明の概要】
【発明が解決しようとする課題】
【０００９】
ところで、特許文献１で開示された頭髪加熱器具用保護具は、例えば、首保護部および耳保護部にホック係止金具およびホックを設けた構造を具備する。
【００１０】
保護具を装着するに際して、使用者は、首の周囲を覆うように首保護部を巻き付けた上で、首保護部のホックをホック係止金具に引掛けると共に、顔の周囲を囲むように耳保護部を巻き付けた上で、耳保護部のホックをホック係止金具に引掛ける。
【００１１】
このように、従来の保護具では、ホック係止金具およびホックからなる引掛け構造を採用していることから、保護具の使用時、首保護部および耳保護部のホックをホック係止金具に引掛けなければならず、非常に手間がかかって煩わしい作業となる。
【００１２】
また、従来の保護具では、使用者の額が保護されていないため、アイロン部で前髪を挟んだり巻いたりする際に、アイロン部が額に接触して火傷をしてしまうおそれがある。このように、アイロン部の接触による額の火傷を防止することが困難である。
【００１３】
そこで、本発明は前述の課題に鑑みて提案されたもので、その目的とするところは、使用者が迅速かつ簡易に装着し得る頭髪加熱器具用保護具を提供することにある。
【課題を解決するための手段】
【００１４】
本発明は、頭髪加熱器具の使用時にその頭髪加熱器具の加熱部が身体の額または首に接触することを防止するために額または首に装着する頭髪加熱器具用保護具である。
【００１５】
前述の目的を達成するための技術的手段として、本発明は、額または首を被覆するガード部と、そのガード部の両側から延びるアーム部とからなり、アーム部を頭部または首の一部に係止させることにより、ガード部を額または首と対応する位置に保持することを特徴とする。
【００１６】
本発明では、ガード部の両側から延びるアーム部を頭部または首の一部に係止させる。これにより、ガード部でもって額または首を被覆することで保護する。このようにして、使用者が保護具を迅速かつ簡易に装着することができる。
【００１７】
本発明におけるガード部は、アーム部が設けられたベースと、ベースの前面に着脱自在に取り付けられたフレームとからなる構造が望ましい。
【００１８】
このような構造を採用すれば、複数種のフレームから選択されたいずれか一つのフレームをベースの前面に着脱自在とすることにより、フレームを交換可能としたガード部を実現することができる。
【００１９】
本発明におけるガード部は、その後面に額または首と部分的に当接する複数のパッドが設けられている構造が望ましい。
【００２０】
このような構造を採用すれば、額または首に対してガード部を複数のパッドで支持することができ、ガード部の全体が額または首に接触することを防止できる。
【００２１】
本発明におけるアーム部は、ガード部の両側に回動自在に取り付けられ、ガード部の前面側あるいは後面側のいずれかに格納可能とした構造が望ましい。
【００２２】
このような構造を採用すれば、ガード部の前面側あるいは後面側にアーム部を格納することで、コンパクトな頭髪加熱器具用保護具を実現することができる。
【発明の効果】
【００２３】
本発明によれば、ガード部の両側から延びるアーム部を頭部または首の一部に係止させることにより、ガード部を額または首と対応する位置に保持することで、使用者が保護具を迅速かつ簡易に装着することができる。
【図面の簡単な説明】
【００２４】
【図１】本発明の実施形態で、額用の保護具を前面側から見た斜視図である。
【図２】図１の保護具を後面側から見た斜視図である。
【図３】図１の保護具を上方から見た平面図である。
【図４】本発明の他の実施形態で、首用の保護具を前面側から見た斜視図である。
【図５】図４の保護具を後面側から見た斜視図である。
【図６】図４の保護具を上方から見た平面図である。
【図７】額用の保護具と首用の保護具とを装着した状態を示す正面図である。
【図８】図７の側面図である。
【図９】図１の保護具のアーム部を格納した状態を示す斜視図である。
【図１０】図９の保護具を上方から見た平面図である。
【図１１】図４の保護具のアーム部を格納した状態を示す斜視図である。
【図１２】図１１の保護具を上方から見た平面図である。
【図１３】額用の保護具において、ガード部をフレームとベースとで構成した分割構造例を示す斜視図である。
【図１４】首用の保護具において、ガード部をフレームとベースとで構成した分割構造例を示す斜視図である。
【図１５】首用の保護具において、ガード部を左右に分割して連結した構造例を示す斜視図である。
【図１６】図１５の保護具のガード部を折り畳んだ状態を示す平面図である。
【図１７】額用の保護具において、ガード部とアーム部とを一体物で構成した構造例を示す斜視図である。
【図１８】首用の保護具において、ガード部とアーム部とを一体物で構成した構造例を示す斜視図である。
【発明を実施するための形態】
【００２５】
本発明に係る頭髪加熱器具用保護具の実施形態を図面に基づいて以下に詳述する。以下の実施形態では、頭髪加熱器具としてヘアアイロンを例示するが、美容室等で使用されるパーマネント用の電熱ロッド等の他の頭髪加熱器具にも適用可能である。
【００２６】
この実施形態の頭髪加熱器具用保護具（以下、単に保護具と称す）は、ヘアアイロンの使用時にそのヘアアイロンの加熱部であるアイロン部が身体の額および首に接触することを防止するために額および首に装着するものである。
【００２７】
図１〜図３は額用の保護具１１を例示し、図４〜図６は首用の保護具２１を例示する。額用の保護具１１と首用の保護具２１とは、形状および大きさが異なるのみであり、構造的に同一であるため、以下で共通して説明する。
【００２８】
なお、首用の保護具２１の場合、以下の実施形態では、首の前方部位を保護する場合（図８参照）を例示するが、保護具２１を１８０°回転させることにより、首の後方部位を保護することも可能である。
【００２９】
保護具１１，２１は、図１〜図３および図４〜図６に示すように、額および首を被覆するガード部１２，２２と、そのガード部１２，２２の両側から後方へ延びる一対のアーム部１３，２３とからなり、アーム部１３，２３を頭部および首の一部、例えば額および首の側方部位または後方部位に係止させることにより、ガード部１２，２２を額および首と対応する位置に保持する。
【００３０】
ガード部１２，２２は、保護具１１，２１の装着時に額および首を被覆するのに最適な形状および大きさを有する。ガード部１２，２２は、額および首に沿うように彎曲した形状を有する。
【００３１】
アーム部１３，２３は、保護具１１，２１の装着時にガード部１２，２２を額および首と対応する位置に保持するのに最適な形状および大きさを有する。アーム部１３，２３は、額および首の後方部位に向けて沿うように彎曲した形状を有する。
【００３２】
このアーム部１３，２３は、１本、２本またはそれ以上の本数（櫛歯状など）からなる形状であってもよく、装着時に髪の毛を乱し難い形状が望ましい。
【００３３】
ガード部１２，２２およびアーム部１３，２３の材質としては、例えば、樹脂、金属、木、紙、生地およびカーボン等のように加工や成形が可能なものであればよく、また、保護具１１，２１として必要な耐熱性および弾力性を有する材質であればよい。
【００３４】
以上で説明した保護具１１，２１を身体に装着するに際しては、図７および図８に示すように、ガード部１２，２２の両側から後方へ延びるアーム部１３，２３を額３１および首３２の側方部位または後方部位に係止させる。
【００３５】
アーム部１３，２３は、額３１および首３２の後方部位に向けて沿うように彎曲した形状を有することから、額３１および首３２の側方部位または後方部位に作用する弾性力でもって、ガード部１２，２２を額３１および首３２と対応する位置に保持する。
【００３６】
ガード部１２，２２が額３１および首３２と対応する位置に保持されることで、ガード部１２，２２により額３１および首３２を被覆することで保護する。このようにして、使用者が保護具１１，２１を迅速かつ簡易に装着することができる。
【００３７】
図７および図８では、額用の保護具１１と首用の保護具２１を同時に装着した状態を例示しているが、額用の保護具１１または首用の保護具２１のいずれか一方だけを装着する場合もある。
【００３８】
額用の保護具１１では、ヘアアイロンなどにより前髪にウェーブをつけたりする場合に使用者の額３１を被覆することで保護する。首用の保護具２１では、ヘアアイロンなどにより頭髪の先端にウェーブをつけたりする場合に使用者の首３２を被覆することで保護する。
【００３９】
この保護具１１，２１において、図２および図３と図５および図６に示すように、ガード部１２，２２は、その後面に額３１および首３２と部分的に当接する複数のパッド１４，２４が設けられている。
【００４０】
このような構造を採用することにより、保護具１１，２１の装着時、額３１および首３２に対してガード部１２，２２を複数のパッド１４，２４で支持することができ、ガード部１２，２２の全体が額３１および首３２に接触することを防止できる。
【００４１】
このように、ガード部１２，２２の全体が額３１および首３２に接触することを防止できることから、化粧崩れを起こし難い。つまり、化粧崩れを起こすとしても、パッド１４，２４に化粧が付着するだけで、化粧崩れを最小限に抑えることができる。
【００４２】
また、保護具１１，２１において、アーム部１３，２３は、ガード部１２，２２の両側に支点１５，２５を中心として回動自在に取り付けられ、ガード部１２，２２の後面側に格納可能とした構造となっている。
【００４３】
つまり、保護具１１，２１を使用する時には、図１〜図６に示すように、ガード部１２，２２の両側から後方へ延びるようにアーム部１３，２３を配置している。保護具１１，２１を使用しない時には、図９〜図１２に示すように、ガード部１２，２２に対してアーム部１３，２３を支点１５，２５を中心に回動させ、ガード部１２，２２の後面側に配置すればよい（図９および図１１破線参照）。
【００４４】
このような構造を採用することにより、ガード部１２，２２の後面側にアーム部１３，２３を格納することで、持ち運びに便利で携帯性に優れたコンパクトな保護具１１，２１を実現することができる。
【００４５】
また、保護具１１，２１を使用する時には、装着状態でアーム部１３，２３に対してガード部１２，２２を微小回動させることにより、ガード部１２，２２を額３１および首３２に対して快適な状態でフィットさせることが可能となる。
【００４６】
この実施形態では、アーム部１３，２３をガード部１２，２２の後面側に格納可能とした構造を例示しているが、アーム部１３，２３をガード部１２，２２の前面側に格納可能な構造としてもよい。
【００４７】
以上の実施形態では、一枚物のガード部１２，２２について説明したが、ガード部１２，２２は、図１３および図１４に示すように、アーム部１３，２３が設けられたベース１２ａ，２２ａと、ベース１２ａ，２２ａの前面に着脱自在に取り付けられたフレーム１２ｂ，２２ｂとからなる分割構造であってもよい。
【００４８】
このような構造を採用することにより、例えば図柄が異なる複数種のフレーム１２ｂ，２２ｂから選択されたいずれか一つのフレーム１２ｂ，２２ｂをベース１２ａ，２２ａの前面に着脱自在とすることにより、フレーム１２ｂ，２２ｂを交換可能としたガード部１２，２２を実現することができる。
【００４９】
これにより、使用者のニーズに合ったフレーム１２ｂ，２２ｂをベース１２ａ，２２ａに取り付けたガード部１２，２２を有する保護具１１，２１を用意することができ、使用態様の変更に迅速に対応可能な保護具１１，２１を実現できる。
【００５０】
この着脱構造として、フレーム１２ｂ，２２ｂの後面に複数のパッド１４，２４を設けると共にベース１２ａ，２２ａに孔１６，２６を設け、ベース１２ａ，２２ａの孔１６，２６にフレーム１２ｂ，２２ｂのパッド１４，２４を嵌合して突出させることにより、パッド１４，２４を額３１および首３２と当接可能にした構造が可能となる。
【００５１】
このような構造を採用することにより、フレーム１２ｂ，２２ｂとベース１２ａ，２２ａとの着脱構造において、額３１および首３２に対してガード部１２，２２を複数のパッド１４，２４で支持する構造を容易に実現することができる。
【００５２】
この着脱構造において、首用の保護具２１として、図１５に示すように、ベース２２ａおよびフレーム２２ｂを左右で分割した構造が可能である。
【００５３】
つまり、左ベース２２ａ1と右ベース２２ａ2とをヒンジ２７で開閉可能に連結し、左ベース２２ａ1の前面に左フレーム２２ｂ1を着脱自在に装着すると共に、右ベース２２ａ2の前面に右フレーム２２ｂ2を着脱自在に装着した構造である。
【００５４】
この保護具２１では、左右ベース２２ａ1，２２ａ2と左右フレーム２２ｂ1，２２ｂ2とでガード部２２を構成し、ガード部２２がアーム部２３を兼用することになる。保護具２１の使用時には、左右ベース２２ａ1，２２ａ2をヒンジ２７を中心に開閉することで、首３２に装着することが可能となる。
【００５５】
保護具２１を使用しない時には、図１６に示すように、ガード部２２をヒンジ２７を中心に回動させて閉じる（図中破線参照）。これにより、持ち運びに便利で携帯性に優れたコンパクトな保護具２１を実現することができる。
【００５６】
一方、左右ベース２２ａ1，２２ａ2を硬質材料で形成し、左右フレーム２２ｂ1，２２ｂ2を軟質材料で形成すると共に、例えば、左右フレーム２２ｂ1，２２ｂ2の上端部が左右ベース２２ａ1，２２ａ2の上端部よりも食み出すようにすることが有効である。
【００５７】
このように構成すれば、首３２の上下サイズが異なる場合であっても、保護具２１を首３２に装着するに際して、上下サイズが異なる首３２にガード部２２がフィットした状態を確保することができる。
【００５８】
つまり、ガード部２２の上下サイズに対して首３２の上下サイズが若干小さい場合であっても、首３２の上下サイズに合わせてガード部２２の左右フレーム２２ｂ1，２２ｂ2の上端部が軟質材料で変形し易くなっているため、ガード部２２が首３２にフィットした状態で適合する。
【００５９】
なお、以上で説明した実施形態では、左右ベース２２ａ1，２２ａ2をヒンジ２７で開閉可能に連結したガード部２２を例示したが、弾性変形可能な左右ベース２２ａ1，２２ａ2を一体化したガード部２２（ヒンジ２７がない構造）であってもよい。
【００６０】
この場合、保護具２１の使用時、弾性力に抗してガード部２２を拡開させ、その状態でガード部２２を首３２に嵌め込ん後に拡開状態を開放すれば、弾性復元力によりガード部２２を首３２に装着することが可能となる。
【００６１】
また、以上の実施形態では、ガード部１２，２２とアーム部１３，２３とが別体構造である保護具１１，２１を例示したが、図１７および図１８に示すように、ガード部１２，２２とアーム部１３，２３とが一体構造である保護具１１，２１であってもよい。
【００６２】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００６３】
１１，２１  頭髪加熱器具用保護具
１２，２２  ガード部
１２ａ，２２ａ  ベース
１２ｂ，２２ｂ  フレーム
１３，２３  アーム部
１４，２４  パッド
３１  額
３２  首
【図１】
0006915895.tif 000002
【図２】
0006915895.tif 000003
【図３】
0006915895.tif 000004
【図４】
0006915895.tif 000005
【図５】
0006915895.tif 000006
【図６】
0006915895.tif 000007
【図７】
0006915895.tif 000008
【図８】
0006915895.tif 000009
【図９】
0006915895.tif 000010
【図１０】
0006915895.tif 000011
【図１１】
0006915895.tif 000012
【図１２】
0006915895.tif 000013
【図１３】
0006915895.tif 000014
【図１４】
0006915895.tif 000015
【図１５】
0006915895.tif 000016
【図１６】
0006915895.tif 000017
【図１７】
0006915895.tif 000018
【図１８】
0006915895.tif 000019